(57)【要約】本発明はテキストメッセージサービスの利用の時、広告コンテンツを提供するテキストメッセージの利用による広告サービス提供システム及び方法に関し、携帯端末機から移動通信網を通じてテキストメッセージが送信されると、ＳＭＳサーバーが広告コンテンツ再生要請があるか否かによって広告システムに広告コンテンツを要請し、広告システムが広告コンテンツを選別し、広告システムが広告コンテンツを移動通信網を通じて携帯端末機に送信し、携帯端末機が広告システムから送信された広告コンテンツを保存した後、テキストメッセージを送信するために送信キーが入力されると、以前テキストメッセージの送信中に保存された広告コンテンツをＳＭＳサーバーにテキストメッセージの送信中に再生することを含むことを特徴とする。
2011527794.tif 000002
【特許請求の範囲】
【請求項１】
移動通信網を通じて、テキストメッセージが送信されると、広告コンテンツの再生要請があるか否かをチェックして、上記広告コンテンツの再生要請があれば、上記広告コンテンツを要請するＳＭＳサーバーと；
上記広告コンテンツを保存し、上記ＳＭＳサーバーから上記広告コンテンツの要請があれば、上記広告コンテンツを読み出して送る広告システムと；
上記テキストメッセージ送信キーが入力されると、上記テキストメッセージを上記移動通信網を通じて上記ＳＭＳサーバーに送信し、上記テキストメッセージの送信中に上記広告システムから上記広告コンテンツが送信されると、上記広告システムから送信された上記広告コンテンツを保存し、以前テキストメッセージの送信中に保存された広告コンテンツを上記テキストメッセージの送信中に再生する携帯端末機と；を含むテキストメッセージの利用による広告サービス提供システム。
【請求項２】
上記携帯端末機は、上記広告コンテンツと上記テキストメッセージを送信中であることを表す情報を画面分割して表示することを特徴とする請求項１に記載のテキストメッセージの利用による広告サービス提供システム。
【請求項３】
上記携帯端末機は、上記テキストメッセージの送信のための送信キーが入力されると、上記広告コンテンツを再生するか否かを選択するウィンドウを表示して、上記広告コンテンツを再生するか否かを選択するようにすることを特徴とする請求項１に記載のテキストメッセージの利用による広告サービス提供システム。
【請求項４】
上記広告システムは、差出人の個人情報によって、上記広告コンテンツを選別して送信することを特徴とする請求項１に記載のテキストメッセージの利用による広告サービス提供システム。
【請求項５】
上記差出人の個人情報は、年齢、性別、職業及び地域情報の中の少なくとも一つ以上であることを特徴とする請求項４に記載のテキストメッセージの利用による広告サービス提供システム。
【請求項６】
上記広告コンテンツは、動画、静止画像及び文字を含むことを特徴とする請求項１に記載のテキストメッセージの利用による広告サービス提供システム。
【請求項７】
携帯端末機から移動通信網を通じてテキストメッセージが送信されると、ＳＭＳサーバーが広告コンテンツ再生要請があるか否かによって広告システムに広告コンテンツを要請し、上記広告システムが上記広告コンテンツを選別する段階と；
上記広告システムが上記広告コンテンツを移動通信網を通じて上記携帯端末機に送信する段階と；
上記携帯端末機が上記広告システムから送信された上記広告コンテンツを保存する段階と；
上記携帯端末機が上記広告コンテンツを保存した後、テキストメッセージの送信のために送信キーが入力されると、以前のテキストメッセージ送信中に保存された広告コンテンツを上記ＳＭＳサーバーで上記テキストメッセージの送信中に再生する段階と；を含むテキストメッセージの利用による広告サービス提供方法。
【請求項８】
上記携帯端末機は、上記テキストメッセージの送信のための送信キーが入力されると、上記広告コンテンツを再生するか選択するウィンドウを表示して、上記広告コンテンツを再生するか否かを選択するようにすることを特徴とする請求項７に記載のテキストメッセージの利用による広告サービス提供方法。
【請求項９】
上記広告コンテンツは、差出人の個人情報によって選別されて送信されることを特徴とする請求項７に記載のテキストメッセージの利用による広告サービス提供方法。
【請求項１０】
上記差出人の個人情報は、年齢、性別、職業、関心分野及び地域情報の中の少なくとも一つ以上であることを特徴とする請求項９に記載のテキストメッセージの利用による広告サービス提供方法。
【請求項１１】
上記広告コンテンツは、動画、静止画像及び文字を含むことを特徴とする請求項７に記載のテキストメッセージの利用による広告サービス提供方法。
【請求項１２】
上記携帯端末機は、上記広告コンテンツと上記テキストメッセージを送信中であることを表す情報を画面分割して表示することを特徴とする請求項７に記載のテキストメッセージの利用による広告サービス提供方法。
【発明の詳細な説明】
【技術分野】
【０００１】
本発明は広告方法に関し、さらに詳しくは、テキストメッセージサービスの利用の時、広告コンテンツを提供するテキストメッセージの利用による広告サービス提供システム及び方法に関する。
【背景技術】
【０００２】
一般に、個人通信サービスは個人が携帯端末機を利用して場所と時間に関係なく、音声及び低速データ通信を行うことができる廉価で且つ普遍的な移動サービスである。
【０００３】
現在の有／無線通信網は、主に音声通信で使用されているが、近来には、データサービス加入者の増加によってデータサービスのような非音声分野のサービスにその使用が拡大している。
【０００４】
テキストメッセージサービス（ＳＭＳ：ショートメッセージサービス）は携帯端末機の間またはインターネットに接続した個人用コンピューターと携帯端末機の間に韓国語４０字内外の短い文章を交換できるテキストサービスである。
【０００５】
テキストメッセージと異なって、発送時点とほぼ同時に内容の伝達が可能で、無線呼び出しサービスとは異なって、携帯端末機の電源が切れたり、さらに、通話が不可能な地域に相手がいても何日間保存ができるので、通信手段の一つとして既に位置を固めた状態である。
【０００６】
これによって、最近にはテキストメッセージサービスを利用して多くの広告主または広告業者で広告を提供することになった。
【０００７】
このような携帯端末機を利用して最近には多様な広告サービスを提供するが、携帯端末機を利用した広告サービスは通話者が一定の時間の間広告を聞くと、一定の時間の間無料または割引された通話ができるようにする方法があった。
【０００８】
前述した技術は、背景技術の理解のために記載されたものであり、本発明の属する技術分野で広く知られた従来技術を意味するのではない。
【発明の概要】
【発明が解決しようとする課題】
【０００９】
ところが、従来のテキストメッセージを利用した広告方法は広告業者または広告主が受信者の同意なしにスパム文字で送った。
【００１０】
これによって受信者には必要のないテキストメッセージが送信されるによる不快さを与える問題点があり、結局、受信者は送信された広告を確認しないまま削除するなどテキストメッセージを利用した広告が円滑に行われることができなくなり、使用者は該広告を削除するなどテキストメッセージの管理が煩雑であるという問題点があった。
【００１１】
本発明は前述した問題点を改善するために創出されたもので、差出人の携帯端末機のテキストメッセージ送信キー入力によるテキストメッセージの送信中に広告コンテンツを差出人の携帯端末機で送信して差出人の携帯端末機に保存し、他のテキストメッセージの送信のための送信キーが入力されると、テキストメッセージ送信過程において以前に保存された広告コンテンツを再生するテキストメッセージの利用による広告サービス提供方法を提供することにその目的がある。
【００１２】
本発明の他の目的は差出人が任意に広告を聞かなければならない煩雑さがなく、安価でテキストメッセージを送信できるようにし、テキストメッセージの送信過程において広告コンテンツを提供して広告主が広告に対する拒否感のなしに広告を提供することにある。
【課題を解決するための手段】
【００１３】
前述した目的を果たすために創出された本発明の構成は下記の通りである。
【００１４】
本発明のテキストメッセージの利用による広告サービス提供システムは、移動通信網を通じてテキストメッセージが送信されると、広告コンテンツの再生要請があるか否かをチェックして、上記広告コンテンツの再生要請があれば、上記広告コンテンツを要請するＳＭＳサーバー、上記広告コンテンツを保存し、上記ＳＭＳサーバーから上記広告コンテンツ要請があれば、上記広告コンテンツを読み出して送信する広告システム及び上記テキストメッセージ送信キーが入力されると、上記テキストメッセージを上記移動通信網を通じて上記ＳＭＳサーバーに送信し、上記テキストメッセージの送信中に上記広告システムから上記広告コンテンツが送信されると、上記広告システムから送信された上記広告コンテンツを保存し、以前テキストメッセージの送信中に保存された広告コンテンツを上記テキストメッセージ送信の中に再生する携帯端末機を含むことを特徴とする。
【００１５】
上記携帯端末機は、上記広告コンテンツと上記テキストメッセージを送信中であることを表す情報を画面分割してそれぞれ表示することを特徴とする。
【００１６】
上記携帯端末機は、上記テキストメッセージのための送信キーが入力されると、上記広告コンテンツを再生するか否かを選択するウィンドウを表示して上記広告コンテンツを再生するか否かを選択するようにすることを特徴とする。
【００１７】
上記広告システムは、差出人の個人情報によって上記広告コンテンツを選別して送信し、上記差出人の個人情報は年齢、性別、職業及び地域情報の中の少なくとも図一つ以上であることを特徴とする。
【００１８】
上記広告コンテンツは、動画、静止画像及び文字を含むことを特徴とする。
【００１９】
本発明のテキストメッセージの利用による広告サービス提供方法は、携帯端末機から移動通信網を通じてテキストメッセージが送信されると、ＳＭＳサーバーが広告コンテンツ再生要請があるか否かによって広告システムに広告コンテンツを要請し、上記広告システムが上記広告コンテンツを選別する段階、上記広告システムが上記広告コンテンツを移動通信網を通じて上記携帯端末機で送信する段階、上記携帯端末機が上記広告システムから送信された上記広告コンテンツを保存する段階及び上記携帯端末機が上記広告コンテンツを保存した後、テキストメッセージの送信のために送信キーが入力されると、以前テキストメッセージの送信中に保存された広告コンテンツを上記ＳＭＳサーバーで上記テキストメッセージの送信中に再生する段階を含むことを特徴とする。
【００２０】
上記携帯端末機は上記テキストメッセージ送信のためのキーが入力されると、上記広告コンテンツを再生するか選択するウィンドウを表示して上記広告コンテンツを再生するか否かを選択するようにすることを特徴とする。
【００２１】
上記広告コンテンツは、差出人の個人情報によって選別されて送信されることを特徴とし、上記差出人の個人情報は年齢、性別、職業、関心分野及び地域情報の中の少なくとも一つ以上のことを特徴とする。
【００２２】
上記広告コンテンツは動画、静止画像及び文字を含むことを特徴とする。
【００２３】
上記携帯端末機は、上記広告コンテンツと上記テキストメッセージを送信中であることを表す情報を画面分割して表示することを特徴とする。
【発明の効果】
【００２４】
このように構成される本発明によれば、テキストメッセージサービスの利用の時広告業者が広告コンテンツを差出人に提供し、テキストメッセージサービスの利用による料金を広告業者が代わりに支払って差出人がテキストメッセージサービスの利用による利用料金を支払わなくて、テキストメッセージサービスを利用することができ、広告業者は広告効果も高めることができる。
【図面の簡単な説明】
【００２５】
【図１】本発明の実施形態によるテキストメッセージの利用による広告サービス提供システムのブロック構成図。
【図２】本発明の実施形態によるテキストメッセージの利用による広告コンテンツダウンロード過程を示す順序図。
【図３】本発明の実施形態によるテキストメッセージの利用による広告コンテンツ再生過程を示す順序図。
【図４】本発明の実施形態による広告コンテンツを再生する携帯端末機の画面ビューを示す図面。
【発明を実施するための形態】
【００２６】
以下では、本発明の実施形態によるテキストメッセージの利用による広告サービス提供方法を添付図面を参照して詳細に説明する。
【００２７】
図１は本発明の実施形態によるテキストメッセージの利用による広告サービス提供システムのブロック構成図である。
【００２８】
本発明の実施形態によるテキストメッセージの利用による広告サービス提供システムは、携帯端末機（１０）、移動通信網（２０）、ＳＭＳサーバー（３０）、課金サーバー（４０）、広告システム（５０）及び個人情報ＤＢ（６０）を備える。
【００２９】
参照に、以下テキストメッセージは画像、動画やカラーメールを含むＭＭＳも含む。
【００３０】
携帯端末機（１０）は、使用者にキーパッド（図示省略）に形成された各種キーを通じてテキストメッセージを作成できるようにし、作成されたテキストメッセージをＳＭＳサーバー（３０）に送信を要請する。ここで、携帯端末機（１０）に備えられたテキストメッセージの送信のための送信キー（図示省略）が入力されると、テキストメッセージの送信中に広告コンテンツを再生するか否かを選択するようにするウィンドウを表示して、差出人に広告コンテンツをダウンロード及び再生するか否かを選択するようにする。また、ＳＭＳサーバー（３０）から受信されたテキストメッセージを表示する一方、広告システム（５０）から送信された広告コンテンツを上記ウィンドウでの使用者の選択により保存と再生をする。
【００３１】
この場合、携帯端末機（１０）は広告コンテンツとテキストメッセージを送信中であることを表す情報を画面分割してそれぞれ表示して、差出人が現在テキストメッセージが送信されていることを確認するようにするとともに、広告コンテンツも確認することができる。
【００３２】
ＳＭＳサーバー（３０）は携帯端末機（１０）からテキストメッセージが送信されると、このテキストメッセージを受信者の携帯端末機（１０）で送信する。この場合、ＳＭＳサーバー（３０）はテキストメッセージが送信されると広告コンテンツの再生要請があるか否かを確認して、広告コンテンツの再生要請があれば、広告サーバー（５１）に広告コンテンツを要請する。
【００３３】
個人情報ＤＢ（７０）は差出人と受信者の名前、年齢、性別、住所、電話番号、職業、関心分野及び住所や居住地域のような地域情報などの個人情報を保存する。ここで、個人情報はテキストメッセージ送信を要請した差出人の電話番号を確認し、この差出人に効果的な広告コンテンツを選別するためのもので、特に、年齢、性別、職業、関心分野及び地域情報の中の少なくとも一つ以上が広告コンテンツの選別に利用されることができる。
【００３４】
広告システム（５０）は広告コンテンツを抽出して移動通信網（２０）を通じて差出人の携帯端末機（１０）で送信するもので、広告サーバー（５１）と広告コンテンツＤＢ（５２）を備える。
【００３５】
広告サーバー（５１）は、ＳＭＳサーバー（３０）から広告コンテンツの提供を要請されると、上記テキストメッセージを受信者の携帯端末機で送信する過程で、個人情報ＤＢ（６０）に保存された対応する差出人の個人情報を抽出し、この個人情報によって広告コンテンツを広告コンテンツＤＢ（５２）で読み出して広告コンテンツの再生を要請した差出人の携帯端末機（１０）で送信する。
【００３６】
ここで、広告コンテンツＤＢ（５２）は企業のロゴ、商品情報などを文字、イメージ、動画などを含む。
【００３７】
特に、広告サーバー（５１）は差出人別でそれぞれ異なる広告コンテンツを送信することができるが、この場合、差出人の個人情報、即ち、年齢、性別、職業、関心分野、住所や居住地域のような地域情報などによって適切な広告コンテンツを選別して送る。特に、関心分野は携帯端末機（１０）を利用して移動通信業者に加入する場合、該移動通信業者が該顧客に多様なサービスまたは広告コンテンツを提供するために通常的に入力を要求するが、移動通信業者に加入するために必ず入力すべきものではない。しかし、このような個人情報を通じてテキストメッセージの送信を要請した差出人にさらに有利な広告コンテンツを提供することができる。特に、地域情報は他地域に比べて差出人が位置する地域で広告効果をさらに高めることができるようにするもので、地域特産物や観光地などが含まれるべきである。
【００３８】
課金サーバー（６０）はテキストメッセージサービスによる広告コンテンツの提供によってサービスの利用による利用料金を登録して、対応する差出人にサービスの利用料金を割引することができる。
【００３９】
参考に、広告コンテンツの提供を要請した差出人に課金サーバー（６０）を利用してテキストメッセージを利用した時の利用料金に対する割引を提供することを例示にして説明したが、本発明の技術範囲はこれに限定されないで、上記利用料金に対する割引以外に特定企業の謝恩品を贈呈したり、多様な恩恵が与えられるイベントに応募するなど、広告コンテンツの提供を要請した差出人に様々な経済的恩恵を提供することを含む。この場合課金サーバー（６０）に登録されるのは謝恩品の情報やイベント情報のように様々な恩恵に対する情報である。
【００４０】
一方、移動通信網（２０）は送受信アンテナを通じて携帯端末機（１０）と情報を交換する基地局（図示省略）と、有無線チャンネル管理端末機プロトコル整合と基地局プロトコル整合及び制御を行って、システムローディング障害管理などのような基地局管理機能を担当する基地局制御機（図示省略）、基地局で発信／着信される信号を処理し、基地局制御機が效率的に運用されることができるように調整する中央統制機能をする交換器（図示省略）及び加入者の発信、着信状態、付加サービスなどの各種情報と加入者の位置を知らせるホーム位置登録機（図示省略）を含む。
【００４１】
ここで、移動通信網（２０）はテキストメッセージ送信、音声データ及び各種信号を送受信する一般的な無線ネットワーク網で、当業者が容易に実施し得るので、ここではその詳細な説明を省略する。
【００４２】
通常、移動通信業者はメールホスティング業者と提携してメール情報をテキストメッセージに含んで使用者に提供しているが、メールが受信された場合、移動通信業者ではメールホスティング業者から受信されたメール情報、例えばメールのタイトル、差出人メールアドレス、メール受信時刻が含まれたテキストメッセージ使用者に提供する。
【００４３】
ここで、使用者に受信されたメール情報が含まれた文字メッセージを受信者の携帯端末機（１０）に送信する過程は、ＳＭＳサーバー（３０）が所定の周期にメールサーバーからメール情報を読み出し、ＳＭＳサーバー（３０）は読み出したメール情報に基づいてメールが受信されたことを知らせる文字メッセージ、即ち、受信されたメール情報が含まれた文字メッセージを生成して受信者の携帯端末機（１０）で送る。
【００４４】
このように、移動通信網（２０）を利用して受信者の携帯端末機（１０）に各種テキストメッセージを送る過程は、当業者が容易に実施し得るので、ここではその詳細な説明を省略する。
【００４５】
図２は本発明の実施形態によるテキストメッセージの利用による広告コンテンツダウンロード過程を示す手順図で、図３は本発明の実施形態によるテキストメッセージの利用による広告コンテンツ再生過程を示す手順図であり、図４は本発明の実施形態による広告コンテンツを再生する携帯端末機の画面ビューを示す図面である。
【００４６】
本発明の実施形態によるテキストメッセージの利用による広告サービス提供方法は差出人の携帯端末機（１０）からＳＭＳサーバー（４０）でテキストメッセージが送信され、差出人の携帯端末機（１０）で広告コンテンツを送って保存する過程と、差出人の携帯端末機（１０）が既に保存された広告コンテンツを再生する過程にそれぞれ分けて説明する。
【００４７】
まず、差出人の携帯端末機（１０）からテキストメッセージが送信されて、広告システム（５０）で差出人の携帯端末機（１０）に広告コンテンツを送って保存する過程は次の通りである。最初に、差出人の携帯端末機（１０）は作成されたテキストメッセージを受信者の携帯端末機（１０）に伝送するようにする送信キーが入力されたか否かを確認する（Ｓ１００）。
【００４８】
この時、送信キーが入力されると、差出人の携帯端末機（１０）はテキストメッセージを、広告コンテンツを再生するか否かを選択するようにするウィンドウをディスプレーして、広告コンテンツを再生するか選択するか否かを確認する（Ｓ１０２）。
【００４９】
この場合、差出人が広告コンテンツ再生を選択すれば、差出人の携帯端末機（１０）は移動通信網（２０）を通じて、ＳＭＳサーバー（３０）にテキストメッセージを送る。
【００５０】
このように、テキストメッセージが送信されると、ＳＭＳサーバー（３０）は広告コンテンツの再生要請があるか否かを確認し、この時広告コンテンツの再生要請があれば、ＳＭＳサーバー（３０）は広告システム（５０）に広告コンテンツを要請する。
【００５１】
これによって、広告サーバー（５１）は差出人の電話番号と個人情報ＤＢ（７０）で該差出人の個人情報を抽出し、この個人情報に従って広告コンテンツＤＢ（５２）で適切な広告コンテンツを選別及び読み出して（Ｓ１０４）、移動通信網（２０）を通じて差出人の携帯端末機（１０）に送信する（Ｓ１０６）。
【００５２】
この場合、広告コンテンツは、差出人の性別、年齢、職業、関心分野及び地域情報などに選別されて送信される。
【００５３】
差出人の携帯端末機（１０）は広告システム（５０）から広告コンテンツが送信されると、この送信された広告コンテンツを保存する（Ｓ１０８）。
【００５４】
このように、広告システム（５０）から広告コンテンツが送信されると、課金サーバー（４０）が広告コンテンツ送信による利用料金を登録する。
【００５５】
一般に、テキストメッセージは差出人携帯端末機（１０）から受信者の携帯端末機（１０）に送信され、通常２〜５秒あまりかかり、文字データ量が多い場合には１０〜２０秒あまりかかる。この時には、通常「送信中」のようにテキストメッセージの送信を要請していることを表示し、これとともにテキストメッセージの送信中であることが分かるようにするイメージや動画などが表示される。
【００５６】
上記過程に従って、テキストメッセージが保存されると、差出人の携帯端末機（１０）は保存されたテキストメッセージを再生されるが、これは図４を参照して説明する。
【００５７】
テキストメッセージを再生する過程は、使用者がテキストメッセージを入力すると、送信キーが入力されるか否かを確認する（Ｓ２００）。
【００５８】
送信キーが入力されると、携帯端末機（１０）は広告コンテンツを再生するか否かを選択するようにするウィンドウをディスプレーし、差出人が広告コンテンツを再生するか否かを選択するか否かを確認する（Ｓ２０２）。
【００５９】
この時、差出人が広告コンテンツを再生することを選択すると、携帯端末機（１０）は以前テキストメッセージの利用によってダウンロードされた既に保存されたテキストメッセージをメモリー（図示省略）から読み出して（Ｓ２０４）、図４に示すように、再生する（Ｓ２０６）。
【００６０】
この場合、携帯端末機（１０）は既に保存された広告コンテンツが少なくとも二つ以上の場合には、最も直近に送信された広告コンテンツを優先して再生したり、少なくとも二つ以上の広告コンテンツをランダムに読み出して再生する。
【００６１】
以後、テキストメッセージ送信が完了されたか否かを確認して（Ｓ２０８）、テキストメッセージの送信が完了されると、広告コンテンツの再生を中止する（Ｓ２１０）。
【００６２】
即ち、本発明の実施形態によるテキストメッセージの利用による広告サービスの提供方法は、テキストメッセージを差出人の携帯端末機（１０）から受信者の携帯端末機（１０）に送信する中に差出人の携帯端末機（１０）が広告システム（５０）から広告コンテンツが送信されて保存し、これとともに、以前に受信者の携帯端末機（１０）にテキストメッセージの送信中に既に保存された広告コンテンツを現在受信者の携帯端末機（１０）にテキストメッセージを送信している間に再生する。
【００６３】
また、本発明の実施形態によるテキストメッセージの利用による広告サービス提供方法は、使用者が広告コンテンツを差出人に提供し、テキストメッセージサービスの利用による料金を広告業者が代わりに支払って差出人がテキストメッセージサービスの利用による利用料金を支払わなくてもテキストメッセージサービスを利用するようにする。
【００６４】
参考に、本発明の実施形態では、広告システム（５０）を別途に備えて、テキストメッセージの要請の時広告コンテンツを検出して送信するのを例として説明したが、本発明の技術範囲はこれに限定されないで、ＳＭＳサーバー（３０）に直接連携して構成することも可能である。
【００６５】
このように、本発明の実施形態によるテキストメッセージの利用による広告サービス提供方法は、広告サービス利用する使用者に広告効果を得ることができ、差出人はテキストメッセージサービスの利用による利用料金を支払ったり、割引されてテキストメッセージサービスを利用することができる。また、単純に利用料金に対する無料や割引だけでなく、商品を支給したり、ポイントを支給して広告サービスが提供される使用者に実質的に利益になるようにすることによって、広告サービスへの参加を誘導することができる。これを通じて広告主は高い広告効果を得ることができ、これを土台で新しい広告媒体を捜すことができる。
【００６６】
本発明は図面に示された実施形態を参照して説明されたが、これは例示的なものに過ぎないで、技術が属する技術分野において、通常の知識を有する者であれば、これから多様な変形及び均等な他の実施形態ができる点を理解すべきである。従って、本発明の技術的保護範囲は特許請求範囲によって決められるべきである。
【符号の説明】
【００６７】
１０：携帯端末機  
２０：移動通信網
３０：ＳＭＳサーバー  
４０：課金サーバー
５０：広告システム  
５１：広告サーバー
５２：広告コンテンツＤＢ
【図１】
2011527794.tif 000003
【図２】
2011527794.tif 000004
【図３】
2011527794.tif 000005
【図４】
2011527794.tif 000006
【国際調査報告】
2011527794.tif 000007
2011527794.tif 000008
2011527794.tif 000009
2011527794.tif 000010